(57)【要約】【課題】医薬、並びに人体の経絡、臓器及び組織に関連して刺激を生成するためのシステムを提供する。【解決手段】医薬、並びに人体の経絡、臓器及び組織に関連して刺激を生成するためのシステムは、制御デバイス（１００）と、脈拍測定デバイス（２００）と、刺激デバイス（３００）とを含む。ユーザーから得られた脈動信号に基づいて、刺激デバイス（３００）は経絡関連スペクトルを取得する。制御デバイス（１００）に対する操作入力に基づいて、刺激デバイス（３００）は臓器組織関連スペクトルと薬剤関連スペクトルを取得する。刺激デバイス（３００）は、それらスペクトルの線形結合を作成することによって刺激スペクトルを生成し、刺激スペクトルに基づいてユーザーの感覚系を刺激する。【選択図】図２Ａ
2020157050.tif 000002
【特許請求の範囲】
【請求項１】
制御デバイス（１００）と、脈拍測定デバイス（２００）と、刺激デバイス（３００）と、を含み、
前記制御デバイス（１００）は、
医薬、並びに人体の経絡、臓器及び組織に関連する操作入力を受け付けるように構成されたユーザーインターフェイス（１１０）と、
前記操作入力に基づいて制御信号を出力するように構成された制御モジュール（１２０）と、を備え、
前記脈拍測定デバイス（２００）は、ユーザーの動脈拍動に関連する脈動信号を出力するように構成され、
前記刺激デバイス（３００）は、
前記制御モジュール（１２０）に接続されてそこから前記制御信号を受信し、前記脈拍測定デバイス（２００）に接続されてそこから前記脈動信号を受信するパルス生成器（３１０）であって、且つ、
前記脈動信号に基づいてユーザーの動脈の基本周波数を取得し、
前記制御信号に基づいて、人体の経絡に対応すると共に、前記基本周波数の調和周波数である単一周波数の経絡関連スペクトルを取得し、
前記制御信号に基づいて、人体の臓器と組織に対応する単一周波数の臓器組織関連スペクトルを取得し、
前記制御信号に基づいて、薬剤に対応する薬剤関連スペクトルを取得し、
前記経絡関連スペクトル、前記臓器組織関連スペクトル、及び前記薬剤関連スペクトルの線形結合を作成することによって刺激スペクトルを生成し、前記刺激スペクトルに関連する刺激信号を出力する、ように構成されたパルス生成器（３１０）と、
前記パルス生成器（３１０）に接続されてそこから前記刺激信号を受信する上に、前記刺激スペクトルに基づいてユーザーの感覚系を刺激するように構成された刺激器（３２０）と、を備える、
医薬、並びに人体の経絡、臓器及び組織に関連して刺激を生成するためのシステム。
【請求項２】
前記刺激器（３２０）は、
前記刺激スペクトルに基づいて、電気刺激を導入してユーザーの皮膚を刺激するように構成された電極パッドユニットと、
前記刺激スペクトルに基づいて、点滅光を放出してユーザーの視覚器官または皮膚を刺激するように構成された点滅装置と、
前記刺激スペクトルに基づいて、音を出力してユーザーの聴覚器官または皮膚を刺激するように構成された音響周波数生成器と、
前記刺激スペクトルに基づいて、ユーザーの皮膚を振動するように構成されたバイブレータと、
ユーザーの手足や胴部を揺らすように構成された身体揺動器と、のいずれか１つである、
請求項１に記載のシステム。
【請求項３】
前記パルス生成器（３１０）は、前記脈動信号を記録及び分析して所定期間内でのユーザーの動脈拍動に関する脈動スペクトルを取得する変調モジュールを備え、
前記制御モジュール（１２０）は、前記脈動スペクトルを前記パルス生成器（３１０）から受信して、前記脈動スペクトルに基づいて、前記経絡関連スペクトル、前記臓器組織関連スペクトル、前記薬剤関連スペクトルの線形結合で使用される重み付け値の調整をリアルタイムに決定し、リアルタイムで重み付け値に関して決定された調整を示す前記制御信号を出力するように構成されている、請求項１に記載のシステム。
【請求項４】
前記脈拍測定デバイス（２００）は、ユーザーの動脈拍動を自動的に測定し、測定された動脈拍動に関連する脈動信号を出力する脈拍センサ（２１０）を備え、
前記ユーザーインターフェイス（１１０）は、ユーザーにより手動で入力され、ユーザーが決定した脈拍数を示す脈拍数入力を受け付けるように更に構成され、
前記制御モジュール（１２０）は、前記パルス生成器（３１０）に、前記ユーザーが決定した脈拍数に関連する脈拍数信号を出力するように更に構成され、
前記パルス生成器（３１０）は、前記脈拍数信号に基づいて、ユーザーの動脈の基本周波数を取得するように更に構成されている、請求項１に記載のシステム。
【請求項５】
分析データベースと複数の所定のユーザー操作モード（４２０）とがその内に構築されているデータユニット（４００）を更に含み、各前記所定のユーザー操作モード（４２０）は気血循環不良の個々の症状に対応しており、
前記ユーザーインターフェイス（１１０）は、気血循環不良の症状に関連する症状入力を受信するように更に構成され、前記制御デバイス（１００）は、前記症状入力に基づいて、前記データユニット（４００）に、当該気血循環不良の症状に関連する症状信号を出力するように更に構成され、
前記データユニット（４００）は、前記症状信号に関連付けられている気血循環不良の症状に対応する１つの前記所定のユーザー操作モード（４２０）で動作することにより、当該気血循環不良の症状に対応する治療指示を前記分析データベースから読み出し、このように読み出された前記治療指示を前記ユーザーインターフェイス（１１０）で表示するために前記制御デバイス（１００）に出力するように構成されている、請求項１に記載のシステム。
【請求項６】
前記データユニット（４００）は、測定データを受け取るように配置され、更に、その内に構成された複数の所定の脈拍測定モード（４３０）を有し、前記測定データに対応する前記所定の脈拍測定モード（４３０）の内の１つで動作することにより、前記分析データベースから、気血循環の改善に関する分析結果を読み出し、このように読み出された前記分析結果を前記ユーザーインターフェイス（１１０）で表示するために前記制御デバイス（１００）に出力するように構成されている、請求項５に記載のシステム。
【請求項７】
ユーザーに対して脈拍測定を行い、行われた脈拍測定の結果を前記測定データとするべく前記データユニット（４００）に出力するように構成される脈拍測定器（２２０）を更に含む、請求項６に記載のシステム。
【請求項８】
前記データユニット（４００）は、人体の臓器及び組織に対応する複数のスペクトルと、異なる医薬の種類に対応する複数のスペクトルとを格納するスペクトルデータベース（４４０）を更に備え、
前記制御デバイス（１００）は前記制御信号を前記データユニット（４００）に出力するように更に構成され、前記データユニット（４００）は前記制御信号に基づいて前記臓器組織関連スペクトルと前記薬剤関連スペクトルとを前記パルス生成器（３１０）に出力するように更に構成され、
前記臓器組織関連スペクトルは、臓器と組織に対応する前記スペクトルの中から選択され、前記薬剤関連スペクトルは、異なる医薬の種類に対応する前記スペクトルの中から選択される、請求項５に記載のシステム。
【請求項９】
前記パルス生成器（３１０）は、前記制御信号に基づいて、前記刺激スペクトルを、前記経絡関連スペクトル、前記臓器組織関連スペクトル、及び前記薬剤関連スペクトルの異なる線形結合にそれぞれ異なるインターバルで順次対応させるように更に構成されている、請求項１に記載のシステム。
【発明の詳細な説明】
【技術分野】
【０００１】
本開示は、刺激システムに関し、より具体的には、医薬、並びに人体の経絡、臓器及び組織に関連する刺激を生成することができる刺激システムに関する。
【背景技術】
【０００２】
情報医学及び量子医学では、情報、頻度、及びエネルギーは、伝統中国医学における経絡の概念に結び付けられている。多くの理論において、人体には循環系、神経系、経絡系の３つの主要なループシステムがあり、それぞれ物質の質量、エネルギー、メッセージに対応していると考えられている。つまり、循環系は物質の質量を伝達し、神経系は物質のエネルギーを伝達し、経絡系は物質のメッセージを伝達するとされている。このような概念は、物理学における波動の特性に類似または相似している。
【０００３】
鍼灸、按摩療法などの伝統中国医学の一部の治療法、及び電流を使用して人体の経絡または経穴（いわゆるツボ）を刺激する電気療法はすべて、共鳴の概念を利用している。単一周波数の振動または刺激は、人体内に共鳴効果を誘発し、痛みを緩和したり、疾患を治療したりすることができる。
【０００４】
しかし、人体の経絡は単一の周波数ではなく、複数の異なる周波数に対応している可能性がある。そのため、単一の周波数の波動を利用して刺激を与えることは最善のアプローチとは言えない場合がある。
【０００５】
米国特許第１０００４６６３号は、伝統中国医学のための電気療法システムを開示している。この電気療法システムは、使用者の経絡の共鳴を調整して、経絡における気及び血液の循環を促進することができる。
【発明の概要】
【発明が解決しようとする課題】
【０００６】
本経絡は特定の臓器に関するホログラフィック（完全で広範な）情報を運ぶ可能性があるため、スペクトルが複数の周波数の組み合わせである合成波、または周波数変動波が人体を刺激するのにより適している場合がある。更に、漢方薬、西洋薬、無機物、漢方薬の煎じ汁はそれぞれ、人体に共鳴効果を引き起こす可能性のある特定のスペクトルに対応している。
【０００７】
そこで、本発明の目的は、医薬、並びに人体の経絡、臓器及び組織に関連して刺激を生成するためのシステムを提供することにある。
【課題を解決するための手段】
【０００８】
本発明によれば、本システムは、制御デバイスと、脈拍測定デバイスと、刺激デバイスとを含む。前記制御デバイスは、医薬、並びに人体の経絡、臓器及び組織に関連する操作入力を受け付けるように構成されたユーザーインターフェイスと、前記操作入力に基づいて制御信号を出力するように構成された制御モジュールとを備える。前記脈拍測定デバイスは、ユーザーの動脈拍動に関連する脈動信号を出力するように構成されている。前記刺激デバイスは、パルス生成器と、刺激器とを備える。前記パルス生成器は、前記制御モジュールに接続されてそこから前記制御信号を受信し、前記脈拍測定デバイスに接続されてそこから前記脈動信号を受信する。前記刺激デバイスは、（ｉ）前記脈動信号に基づいてユーザーの動脈の基本周波数を取得し、（ｉｉ）前記制御信号に基づいて、人体の経絡に対応すると共に、前記基本周波数の調和周波数である単一周波数の経絡関連スペクトルを取得し、（ｉｉｉ）前記制御信号に基づいて、人体の臓器と組織に対応する単一周波数の臓器組織関連スペクトルを取得し、（ｉｖ）前記制御信号に基づいて、薬剤に対応する薬剤関連スペクトルを取得し、（ｖ）前記経絡関連スペクトル、前記臓器組織関連スペクトル、及び前記薬剤関連スペクトルの線形結合を作成することによって刺激スペクトルを生成し、（ｖｉ）前記刺激スペクトルに関連する刺激信号を出力するように構成されている。前記刺激器は、前記パルス生成器に接続されてそこから前記刺激信号を受信する上に、前記刺激スペクトルに基づいてユーザーの感覚系を刺激するように構成されている。
【０００９】
本発明の他の特徴及び利点は、添付の図面を参照する以下の実施形態の詳細な説明において明白になる。
【図面の簡単な説明】
【００１０】
【図１】本開示によるシステムの実施形態を示す斜視図であり、該システムは、医薬、並びに人体の経絡、臓器及び組織に関連して刺激を生成するためのものである。
【図２Ａ】本実施形態における信号伝送を示す概略図である。
【図２Ｂ】本実施形態における信号伝送を示す概略図である。
【図３】本開示によるユーザーインターフェイスによって表示されるコンテンツの例を示す概略図である。
【図４】本実施形態の別の実施例を示す斜視図であり、該実施例は、単一の電子デバイスに統合された制御デバイス及び刺激デバイスと、一対の電極が配置された単一のパッドを有する電極パッドユニットとを含む。
【発明を実施するための形態】
【００１１】
本発明をより詳細に説明する前に、適切と考えられる場合において、符号または符号の末端部は、同様の特性を有し得る対応のまたは類似の要素を示すために各図面間で繰り返し用いられることに留意されたい。
【００１２】
図１、図２Ａ及び図２Ｂを参照すると、本開示によるシステムの実施形態は、医薬、並びに人体の経絡、臓器及び組織に関連して刺激を生成できるように構成されている。本システムは、制御デバイス１００と、脈拍測定デバイス２００と、刺激デバイス３００と、データユニット４００とを含む。
【００１３】
制御デバイス１００は、ユーザーインターフェイス１１０及び制御モジュール１２０を含む。本実施形態では、制御デバイス１００と、脈拍測定デバイス２００と、刺激デバイス３００とは、互いに通信可能に接続され、データユニット４００は、制御デバイス１００と脈拍測定デバイス２００とに通信可能に接続されるが、本発明はこの形態に限定されない。更に図３を参照すると、ユーザーインターフェイス１１０は、操作設定、脈拍測定メッセージ、及びアドバイスメッセージを表示するように構成される。操作設定は、医薬、人体の経絡、臓器、組織に関連し、ユーザー５００が操作入力を打ち込むことができるように構成されている。制御モジュール１２０は、操作設定に係る操作入力をユーザーインターフェイス１１０が受け付けた後、その操作入力に基づいて制御信号を出力する。
【００１４】
なお、ユーザーインターフェイス１１０が示す操作設定は、図３に示すものに限定されず、外観や機能オプションは、他の実施形態で変化し得る。本実施形態において、経絡、臓器、組織、薬剤（漢方薬、西洋薬を含む）、及び周波数などの操作設定の各パラメータは、刺激の強度に関して調整可能であり、ユーザー５００にとって使い勝手がよい。
【００１５】
脈拍測定デバイス２００は、脈拍センサ２１０及び脈拍測定器２２０を含む。臓器の共振周波数は心拍数に関連するので、脈拍センサ２１０は、ユーザー５００の動脈拍動を自動的に測定し、測定された動脈拍動に関連する脈動信号を制御デバイス１００と刺激デバイス３００とに出力する。本実施形態では、ユーザーインターフェイス１１０によって表示される脈拍測定メッセージは、脈拍測定デバイス２００によって感知された動脈拍動に基づく脈拍数（すなわち、脈動頻度）を示す。本実施形態では、脈拍センサ２１０が故障した場合または脈動信号を出力できない場合、ユーザーインターフェイス１１０は、ユーザーが決定した脈拍数を示す脈拍数入力を手動で入力するために使用されることができ、制御モジュール１２０は、ユーザーが決定した脈拍数に関連する脈拍数信号を刺激デバイス３００に更に出力することができる。この場合、ユーザーインターフェイス１１０によって表示される脈拍測定メッセージは、ユーザーが決定した脈拍数を示し得る。脈拍測定器２２０は、ユーザー５００に対して脈拍測定を行い、分析及び評価のために、行われた脈拍測定の結果（すなわち、ユーザー５００の脈拍状態）をデータユニット４００に出力するように構成される。脈拍測定器２２０は本発明の重点ではないので、簡潔を期すため本明細書ではその詳細を省略する。
【００１６】
刺激デバイス３００は、パルス生成器３１０と、パルス生成器３１０に接続された少なくとも１つの刺激器３２０とを含む。パルス生成器３１０は、変調モジュール３１１及びパルスモジュール３１２を含む。変調モジュール３１１は、制御モジュール１２０に接続され、そこから制御信号及び脈拍数信号を受信し、また、脈拍測定デバイス２００に接続され、そこから脈動信号を受信し、更に、制御信号と、脈動信号及び脈拍数信号のうちの１つとに基づく変調信号をパルスモジュール３１２に出力するように構成される。変調モジュール３１１は、脈拍測定デバイス２００から脈動信号を受信すると、脈動信号を分析して脈動頻度を読み取り、脈動信号を記録して、所定期間内でのユーザー５００の動脈拍動に関する脈動スペクトルを取得する。王唯工博士により提唱された共鳴血液循環の理論によれば、各動脈には固有の共鳴周波数があり、臓器と経穴はそれぞれ対応する動脈と結び付いている上に共に振動し、周波数分割を起こすとされている。よって、各臓器及び経穴は特定の共振周波数を有することになる。そして、同じ共振周波数に対応する臓器を１つのグループに分類すると、臓器と経絡の対応が得られる。更に、心臓の鼓動は人体のすべての共振のエネルギー源であるため、心拍信号の周波数（脈動頻度）は経絡の共振周波数の基本周波数であり、各経絡の共振周波数は心拍信号の調波である。関連する理論及び応用は米国特許第１０００４６６３号に記載されており、簡潔を期すため本明細書ではその詳細を省略する。
【００１７】
続いて、変調モジュール３１１は、脈動信号が示す脈動頻度または脈拍数信号が示すユーザーが決定した脈拍数を、脈動信号に基づいて、ユーザー５００の動脈の基本周波数とし、且つ、制御信号に基づいてデータユニット４から以下の各スペクトルを取得する。即ち、人体の経絡に対応し、基本周波数の調和周波数である単一周波数の経絡関連スペクトル（または波動）と、人体の臓器と組織に対応する単一周波数の臓器組織関連スペクトル（または波動）（ここでの単一周波数は、臓器と組織の両方に対応するとは限らず、臓器にのみ対応するか、組織にのみ対応し得る）と、そして薬剤に対応する薬剤関連スペクトル（または波動）とを取得する。
【００１８】
経絡関連スペクトルは、操作設定における経絡に対応するフィールドで選択された１つまたは複数の経絡に関連している（図３にて「経絡のオプション」として例示されている）。臓器組織関連スペクトルは、操作設定における臓器に対応するフィールド（図３にて「臓器のオプション」として例示されている）及び操作設定における組織に対応するフィールド（図３にて「組織のオプション」として例示されている）で選択された１つまたは複数の臓器や組織に関連している。薬剤関連スペクトルは、操作設定における医薬に対応するフィールド（図３にて「漢方薬のオプション」及び「西洋薬のオプション」として例示されている）で選択された１つまたは複数の医薬タイプに関連する。そして、変調モジュール３１１は、経絡関連スペクトル、臓器組織関連スペクトル、及び薬剤関連スペクトルの線形結合を作成することによって刺激スペクトルを生成し、刺激スペクトルに関連する変調信号をパルスモジュール３１２に出力する。刺激スペクトルは、以下の式で得ることができる。
【００１９】
ＦＳ＝ａ１×Ｆ１＋ａ２×Ｆ２＋ａ３×Ｆ３
【００２０】
式中、ＦＳは刺激スペクトルを表し、Ｆ１、Ｆ２、Ｆ３はそれぞれ経絡関連スペクトル、臓器組織関連スペクトル、薬剤関連スペクトルを表し、データユニット４から得ることができ、そしてａ１、ａ２、ａ３はデータユニット４から得られる重み付け値であって、それぞれ経絡関連スペクトル、臓器組織関連スペクトル、薬剤関連スペクトルに対応する。重み付け値ａ１、ａ２、ａ３はそれぞれ、操作設定における対応するオプションのために選択された強度に関連している（図３を参照）。なお、上記の数式は、刺激スペクトルの取得が周波数領域で実行される必要があることを意味しない。実際には、刺激スペクトルの取得は時間領域で実行することもできる。
【００２１】
最後に、パルスモジュール３１２は、変調信号に対応する刺激信号を刺激器３２０に出力し、刺激スペクトルに基づいて刺激器３２０にユーザー５００の感覚系を刺激させる。
【００２２】
本実施形態では、制御モジュール１２０は、脈動スペクトルをフィードバックデータとして使用してフィードバック制御を実行し、脈動スペクトルに基づいて、経絡関連スペクトル、臓器組織関連スペクトル、薬剤関連スペクトルの線形結合で使用される重み付け値の調整をリアルタイムに決定する。次に、制御モジュール１２０は、リアルタイムで重み付け値に関して決定された調整を示す制御信号を出力して、刺激器３２０による刺激出力を変更し、ユーザー５００を操作入力に対応する所望の生理学的状態にする（具体的には、ユーザー５００が受ける刺激は、操作設定においてユーザー５００によって選択された特定の経絡、臓器、組織に対して共鳴を誘発する）。多変数制御設計を使用して、経絡関連スペクトル、臓器組織関連スペクトル、及び薬剤関連スペクトルを変数として機能させることにより、このような機能を実現できる。これらの変数は互いにカップリングされているため、デカップリング処理には数学的な計算が必要となる。多変数制御設計及びデカップリング数学計算は、当業者にはよく知られているはずであり、本発明の重点ではないので、簡潔を期すため本明細書ではその詳細を省略する。本実施形態では、デカップリング結果及び様々な条件に対応する重み付け値のマトリックスが事前に取得され、これによりデータユニット４００に格納される重み付け値のルックアップテーブルが作成されるので、制御モジュール１２０は、このルックアップテーブルを利用して、経絡関連スペクトル、臓器組織関連スペクトル、及び薬剤関連スペクトルの重み付け値をリアルタイムで調整することができる。
【００２３】
更に、ユーザー５００が薬剤を服用した後、刺激スペクトルを決定するときに、その薬剤の作用発現時間を制御モジュール１２０により考慮に入れるべきである。本実施形態では、制御モジュール１２０は、時間の経過と共に重み付け値ａ１、ａ２、ａ３を調整し、特に、薬剤関連のスペクトルに対応するためには経時変化を必要とするはずである重み付け値ａ３を調整し、経絡関連スペクトル、臓器組織関連スペクトル、及び薬剤関連スペクトルの異なる線形結合を生成する。変調モジュール３１１はこのように、制御信号に基づいて、刺激スペクトルを、経絡関連スペクトル、臓器組織関連スペクトル、及び薬剤関連スペクトルの異なる線形結合にそれぞれ異なるインターバルで順次対応させ、そして変調信号をパルスモジュール３１２に出力し、薬剤の薬理学的特性を追跡し、ユーザー５００に対する薬効を高める。
【００２４】
本実施形態において薬剤は漢方薬と西洋薬に分類される。漢方薬は更に単剤（単一薬草）と多剤（複数薬草）に分類される。西洋薬もまた更に単一有効成分薬剤（単一の有効成分で構成される薬剤）と複合薬剤（複数の有効成分で構成される薬剤）に分類される。したがって、薬剤関連スペクトルは、単剤漢方薬に対応する第１のスペクトル、多剤漢方薬に対応する第２のスペクトル、単一有効成分西洋薬に対応する第３のスペクトル、そして複合薬剤西洋薬に対応する第４のスペクトルの線形結合とすることができ、よって以下の式で取得することができる。
【００２５】
Ｆ３＝ａ３１×Ｆ３１＋ａ３２×Ｆ３２＋ａ３３×Ｆ３３＋ａ３４×Ｆ３４
【００２６】
式中、Ｆ３１、Ｆ３２、Ｆ３３、Ｆ３４はそれぞれ、第１、第２、第３、第４のスペクトルを表し、データユニット４から得ることができ、そしてａ３１、ａ３２、ａ３３、ａ３４は、データユニット４から得られる重み付け値であって、それぞれ第１、第２、第３、第４のスペクトルに対応する。
【００２７】
ユーザー５００が異なる種類の薬を同時に服用する場合、制御モジュール１２０は、操作入力に基づいてユーザー５００が服用した薬の種類を示す制御信号を生成してもよく、変調モジュール３１１は、制御信号に基づいて、それぞれ異なるインターバルでの経絡関連スペクトル、臓器組織関連スペクトル、及び薬剤関連スペクトルの各種の線形結合（つまり、重み付け値ａ１、ａ２、ａ３の異なる組み合わせ）を取得できるだけでなく、第１から第４のスペクトルの各種の線形結合（つまり、重み付け値ａ３１、ａ３２、ａ３３、ａ３４の異なる組み合わせ）に対応する異なる薬剤関連スペクトルも取得でき、よって結果として生じる任意の１つのインターバルにおける刺激は、ユーザー５００が服用したうちの一種の薬剤のみを対象とするようになると共に、ユーザー５００が服用したすべての種類の薬剤が、第１〜第４のスペクトルの異なる組み合わせにより説明されるようになる。
【００２８】
たとえば、ユーザー５００が小柴胡湯（多剤漢方薬に属する）と制酸剤（単一有効成分西洋薬に属する）を同時に服用した場合、変調信号の刺激スペクトルを生成するために、まずは、小柴胡湯に対応するスペクトル（またはより具体的には多剤漢方薬に対応するスペクトル）が無視される一方で、制酸剤に対応するスペクトル（またはより具体的には単一有効成分西洋薬に対応するスペクトル）が臓器組織関連スペクトル及び経絡関連スペクトルと線形結合される。そしてある程度の時間が過ぎた後に、変調信号の刺激スペクトルを生成するために、小柴胡湯に対応するスペクトルが臓器組織関連スペクトル及び経絡関連スペクトルと線形結合される一方で、制酸剤に対応するスペクトルが無視される。西洋薬は漢方薬に比べて作用発現が通常は短いため、刺激をこのような特徴と一致させることで、薬効を高めることができるようになる。
【００２９】
なお、刺激器３２０は様々な方法で実施できる。例えば、刺激器３２０は、電極パッドユニット３２１（図１を参照）、点滅装置（図示せず）、音響周波数生成器（図示せず）、バイブレータ（図示せず）、または身体揺動器（図示せず）であり得る。
【００３０】
電極パッドユニット３２１は、刺激スペクトルに基づいて、電気刺激を導入してユーザー５００の皮膚を刺激するように用いることができる。一実施形態では、電極パッドユニット３２１は、図１に示すように、正極パッドおよび負極パッドを備える。一実施形態では、電極パッドユニット３２１は、図４に示すように、正極と負極の両方がその上に配置された１つのパッドのみを備える。接触した皮膚、皮下組織、筋肉を介して微弱な電流が正極から負極に流れ、電気回路が形成される。刺激を受けた皮膚の下の筋肉は断続的に収縮し、関連する経絡、臓器、組織と共鳴する。電気の他に、光、音、振動もエネルギーの一種なので、人体の刺激に利用できる。
【００３１】
一実施態様として、点滅装置を刺激器３２０として使用すると、刺激スペクトルに基づいて点滅光を放出してユーザー５００の視覚器官または皮膚を刺激することができるようになる。点滅装置は高周波信号に反応できる電灯を含んでもよく、電灯により刺激信号に基づいて点滅光を放出し、脳の辺縁系をトリガーして生理学的信号を調整する。このような電灯は室内に設置して照明装置とすることもできる。ユーザー５００は睡眠中にアイマスクを着用してもよく、そうすれば睡眠中に刺激を受け続けることができる。
【００３２】
一実施態様として、音響周波数生成器を刺激器３２０として使用すると、刺激スペクトルに基づいて音を出力してユーザー５００の聴覚器官または皮膚を刺激することができるようになる。「黄帝内経」（「黄帝による内経」、古代中国の医学書）には早くも、臓器と音調の関係に言及している。現代の物理学の観点によれば、これは、音の周波数を介して臓器に共鳴を誘発し、臓器の状態を調整することを意味する。したがって、音響周波数生成器は、高周波信号に反応できるスピーカーを含んでもよく、スピーカーにより刺激信号に基づいて音（人間の可聴範囲内であるかどうかに関係なく）を出力し、聴覚器官または皮膚を刺激する。単一周波数の音を出力することに加えて、音響周波数生成器は、搬送波を利用して刺激信号をメロディ内に隠すことで、ユーザー５００が知らない間に刺激を受けることができるようにすることも可能である。
【００３３】
一実施形態では、バイブレータまたは身体揺動器を刺激装置３２０として使用することができる。振動を誘発するためにより大きな力を必要とするバイブレータまたは身体揺動器を実現するために偏心モータまたは磁気の原理を採用することもできる。バイブレータまたは身体揺動器は、日常生活でよく使用される物品に組み込むことができ、例えばシートクッション、マットレス、手袋、靴下などに組み込むことで、日常生活で刺激を得ることを容易にし、ユーザー５００が刺激を受ける時間を長くすることができる。バイブレータまたは身体揺動器によって生成された刺激は、ユーザー５００の皮膚を振動させ、またはユーザー５００の手足や胴部を揺らすことができる。
【００３４】
本実施形態では、パルス生成器３１０は、パルスモジュール３１２に接続された複数のコネクタ３１３を更に含み、よって、一種または複数種の複数の刺激器３２０を、対応するコネクタ３１３を介してパルス生成器３１２に接続することができる。実際の応用では、スイッチ回路（図示せず）を利用して、パルス生成器３１２の接続を、対応するコネクタ３１３を介して１つまたは複数の所望の刺激器３２０に切り替えることができる。したがって、ユーザー５００は、複数種の刺激器３２０を使用して異なるタイプの刺激を同時に受けることもでき、または同一種の複数の刺激器３２０を使用して、複数の身体部位で同時に刺激を受けることもできる。
【００３５】
データユニット４００は、データベース４１０と、複数の所定のユーザー操作モード４２０と、複数の所定の脈拍測定モード４３０と、スペクトルデータベース４４０とがその内に構築されている。各所定のユーザー操作モード４２０は、気血循環不良の個々の症状に対応する。一実施形態では、ユーザーインターフェイス１１０は、気血循環不良の症状に関連する症状入力を受信するように更に構成され、制御デバイス１００は、症状入力に基づいて、データユニット４００に、当該気血循環不良の症状に関連する症状信号を出力する。データユニット４００は、受信した症状信号に関連付けられている気血循環不良の症状に対応する所定のユーザー操作モード４２０の内の１つで操作することにより、当該気血循環不良の症状に対応する治療指示（例えば、操作設定におけるパラメータの推奨設定）をデータベース４１０から読み出し、このように読み出された治療指示（アドバイスメッセージとされる）をユーザーインターフェイス１１０で表示するために制御デバイス１００に出力するように構成され、ユーザー５００は、当該気血循環不良の症状を緩和するために、治療指示に応じた刺激を行うことができる。更に、データユニット４００は、脈拍測定器２２０から脈拍測定の結果（以下、測定データと呼ぶ）を受け取り、データベース４１０から、この測定データに対応する所定の脈拍測定モード４３０の内の１つで動作することにより、気血循環の改善に関する分析結果を読み出すことができ、そしてこのように読み出された分析結果をユーザーインターフェイス１１０で表示するために制御デバイス１００に出力するようにしてもよい。スペクトルデータベース４４０は、人体の臓器及び組織に対応すると共にそれぞれが単一の周波数に対応する複数のスペクトルと、人間が服用すると１つ以上の特定の経絡の共鳴を引き起こす異なる種類の医薬に対応する複数のスペクトルを格納する。制御デバイス１００は、制御信号をデータユニット４００に出力するように更に構成され、データユニット４００は、制御信号に基づいて、臓器組織関連スペクトルおよび薬剤関連スペクトルをパルス変調モジュール３１１に出力するように構成される。即ち、変調モジュール３１１は、臓器や組織に対応するスペクトルの中から臓器組織関連スペクトルを選択し、医薬の種類に対応するスペクトルの中から薬剤関連スペクトルを選択する。本実施形態では、上述のデカップリング結果及び重み付け値に対応するマトリックスはスペクトルデータベース４４０に格納される。
【００３６】
制御デバイス１００は、マイクロコントローラ、デスクトップコンピュータ、ノートブックコンピュータ、タブレットコンピュータ、スマートテレビ、スマートフォン、スマートウォッチ、または本開示によるシステムを実装するために開発された任意の電子デバイスとして実施され得る。ユーザーインターフェイス１１０は、ディスプレイスクリーンのようなディスプレイインターフェイスであり得る。データユニット４００は、制御デバイス１００に含まれるメモリ装置（図示せず）であってもよいし、クラウドストレージシステム（図示せず）であってもよい。現代のスマートフォン、スマートウォッチ等は、通常、高性能プロセッサ、多機能センサ、様々なアプリ（アプリケーション）、そしてインターネットアクセス機能を備えている。そのようなデバイスは、それにインストールされたアプリやインターネットを介してアドバイスメッセージを取得でき、本開示の制御デバイス１００、脈拍測定デバイス２００、およびデータユニット４００を実装するのに適している。特に、クラウドストレージシステムを使用すれば、使用記録、病気関連の検索履歴、または脈拍測定器２２０によって出力された測定データ等のユーザー関連情報の管理や分析に便利であり、パーソナライズされた診療データ管理の提供、データ損失の防止、関連する医療アプリケーションの統合の促進が可能となる。
【００３７】
要約すると、本発明の実施形態は、経絡関連スペクトル、臓器組織関連スペクトル、及び薬剤関連スペクトルを統合することによって人体の感覚系に対する刺激を生成し、フィードバック制御技術を使用して刺激を調整する。複数のタイプの刺激器３２０によりユーザー５００に異なるタイプの刺激を与えることができ、それによりユーザー５００の気血循環を改善する。
【００３８】
上記においては、本発明の全体的な理解を促すべく、多くの具体的な詳細が示された。しかしながら、当業者であれば、一種以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものであり、また、一実施形態における一またはそれ以上の特徴あるいは特定の具体例は、適切な場合には、本開示の実施において、他の実施形態における一またはそれ以上の特徴あるいは特定の具体例と共に実施され得る。
【００３９】
以上、本発明の好ましい実施形態及び変化例を説明したが、本発明はこれらに限定されるものではなく、最も広い解釈の精神及び範囲内に含まれる様々な構成として、全ての修飾及び均等な構成を包含するものとする。
【符号の説明】
【００４０】
100  制御デバイス
110  ユーザーインターフェイス
120  制御モジュール
200  脈拍測定デバイス
210  脈拍センサ
220  脈拍測定器
300  刺激デバイス
310  パルス生成器
311  変調モジュール
312  パルスモジュール
320  刺激器
400  データユニット
410  データベース
420  ユーザー操作モード
430  脈拍測定モード
440  スペクトルデータベース
【図１】
2020157050.tif 000003
【図２Ａ】
2020157050.tif 000004
【図２Ｂ】
2020157050.tif 000005
【図３】
2020157050.tif 000006
【図４】
2020157050.tif 000007
【外国語明細書】
2020157050000001.pdf